(57)【要約】【課題】操作効率の低下が抑制されるように表示装置と近距離無線通信用のアンテナとが配置されている画像形成装置を提供すること。【解決手段】筐体１０と、筐体１０の上部に設けられている近距離無線通信用のアンテナ１３Ａを有する通信基板１３と、筐体１０の上部に設けられている表示装置１２Ａと、を備え、筐体１０の上方から見てアンテナ１３Ａと表示装置１２Ａとが筐体１０の前後方向に延びる一の直線４０上に配置されており、且つ、アンテナ１３Ａが表示装置１２Ａより前側に配置されている、画像形成装置。【選択図】図６
2015173413.tif 000002
【特許請求の範囲】
【請求項１】
筐体と、
前記筐体の上部に設けられている近距離無線通信用のアンテナを有する通信基板と、
前記筐体の上部に設けられている表示装置と、
を備え、
前記筐体の上方から見て前記アンテナと前記表示装置とが前記筐体の前後方向に延びる一の直線上に配置されており、且つ、前記アンテナが前記表示装置より前側に配置されている、画像形成装置。
【請求項２】
請求項１に記載の画像形成装置であって、
前記表示装置は、物体の接触を検出するタッチセンサを有する、画像形成装置。
【請求項３】
請求項２に記載の画像形成装置であって、
前記通信基板は、前記アンテナと、前記アンテナと接続される通信回路とを有し、
前記筐体の前側から後側に向かって前記アンテナ、前記通信回路、前記タッチセンサの順で前記直線上に配置されている、画像形成装置。
【請求項４】
請求項２又は請求項３に記載の画像形成装置であって、
操作ボタンを備え、
前記筐体の前側から後側に向かって前記アンテナ、前記操作ボタン、前記タッチセンサの順で前記直線上に配置されている、画像形成装置。
【請求項５】
請求項１乃至請求項４のいずれか一項に記載の画像形成装置であって、
前記筐体の前面にはフロントカバーが設けられており、
前記フロントカバーは、前記フロントカバーを閉じたときに前記フロントカバーの上端部から前記筐体の後側に向かって伸びる上面部を有し、
前記上面部は、前記フロントカバーを閉じたときに前記アンテナを避ける形状に形成されている、画像形成装置。
【請求項６】
請求項５に記載の画像形成装置であって、
前記筐体は前方に張り出す張出部を有し、
前記アンテナは前記張出部に設けられている、画像形成装置。
【請求項７】
請求項６に記載の画像形成装置であって、
前記アンテナを覆う保護部材を備える、画像形成装置。
【請求項８】
請求項７に記載の画像形成装置であって、
前記保護部材は前記アンテナを覆うカバー部材であり、
前記アンテナの内側の領域を通過して前記張出部と前記保護カバーとを結合する結合部材を備える、画像形成装置。
【請求項９】
請求項８に記載の画像形成装置であって、
前記通信基板において前記アンテナの内側の領域には、光源からの光を通過させる第１の穴と、前記第１の穴を避ける位置に形成されている第２の穴とが形成されており、
前記結合部材は前記第２の穴を通過して前記張出部と前記カバー部材とを結合する、画像形成装置。
【請求項１０】
請求項８又は請求項９に記載の画像形成装置であって、
前記結合部材は非導電性の素材で形成されている、画像形成装置。
【請求項１１】
請求項８乃至請求項１０のいずれか一項に記載の画像形成装置であって、
前記張出部と前記カバー部材との間に、前記筐体の前方から前記通信基板に至る沿面距離を長くする壁が設けられている、画像形成装置。
【発明の詳細な説明】
【技術分野】
【０００１】
無線通信用のアンテナと表示装置とを備える画像形成装置に関する。
【背景技術】
【０００２】
従来、無線通信用のアンテナと表示装置とを備える画像形成装置が知られている（例えば、特許文献１参照）。
【先行技術文献】
【特許文献】
【０００３】
【特許文献１】特開２００２−２２５３９０号公報
【発明の概要】
【発明が解決しようとする課題】
【０００４】
近年、上述したような無線通信用のアンテナと表示装置とを備える画像形成装置において、スマートフォンや認証カード等のユーザが携帯する携帯端末と近距離無線通信を行うために、近距離無線通信用のアンテナを備えたものが増加している。
【０００５】
このような画像形成装置の増加に伴い、スマートフォンの表示装置に表示されている印刷関連情報や認証カードに表記されているユーザＩＤ等の携帯端末に表示された表示情報を、携帯端末をアンテナにかざしながら確認するとともに、画像形成装置の表示装置に表示された表示情報も確認し、画像形成装置の操作を行うケースが増加している。
【０００６】
このような操作を行うとき、画像形成装置に設けられているアンテナと当該画像形成装置に設けられている表示装置との距離が離れていると、アンテナにかざした携帯端末に表示された表示情報と、画像形成装置の表示装置に表示された表示情報とを確認するために、ユーザは視線を大きく移動させる必要があり、操作効率が低下する虞がある。
【０００７】
一方、画像形成装置に設けられているアンテナと当該画像形成装置に設けられている表示装置との距離が近いと、それらの配置の仕方によってはアンテナにかざした携帯端末やユーザの手、携帯端末に付けられているストラップ等で画像形成装置の表示装置が隠れてしまい、操作効率が低下する虞がある。
【０００８】
本明細書では、操作効率の低下が抑制されるように表示装置と近距離無線通信用のアンテナとが配置されている画像形成装置を提供する。
【課題を解決するための手段】
【０００９】
本明細書によって開示される画像形成装置は、筐体と、前記筐体の上部に設けられている近距離無線通信用のアンテナを有する通信基板と、前記筐体の上部に設けられている表示装置と、を備え、前記筐体の上方から見て前記アンテナと前記表示装置とが前記筐体の前後方向に延びる一の直線上に配置されており、且つ、前記アンテナが前記表示装置より前側に配置されている。
【００１０】
上記画像形成装置によると、アンテナを表示装置より前側に配置するので、アンテナに携帯端末をかざした際に携帯端末やユーザの手、携帯端末に付けられているストラップ等で画像形成装置の表示装置が隠れてしまうことを抑制できる。このため、表示装置が隠れてしまうことによる操作効率の低下を抑制することができる。また、アンテナと表示装置とを筺体の前後方向に延びる直線上に配置するので、アンテナと表示装置との左右方向の距離が近くなり、ユーザは視線を左右方向に大きく移動させなくてよい。このため、視線を左右方向に大きく移動させなければならないことによる操作効率の低下も抑制できる。よって上記画像形成装置によると、操作効率の低下が抑制されるように表示装置と近距離無線通信用のアンテナとが配置されている画像形成装置を提供することができる。
【００１１】
また、前記表示装置は、物体の接触を検出するタッチセンサを有してもよい。
【００１２】
タッチセンサをアンテナより前側に配置すると、ユーザが携帯端末をアンテナにかざす際に誤ってタッチセンサに触れてしまい、それにより意図しない操作をしてしまう虞がある。上記画像形成装置によると、タッチセンサをアンテナより後側に配置するので、ユーザが携帯端末をアンテナにかざす際に誤ってタッチセンサに触れてしまうことを抑制できる。
【００１３】
また、前記通信基板は、前記アンテナと、前記アンテナと接続される通信回路とを有し、前記筐体の前側から後側に向かって前記アンテナ、前記通信回路、前記タッチセンサの順で前記直線上に配置されていてもよい。
【００１４】
アンテナとタッチセンサとを近付けすぎて配置すると干渉し合う虞があるので望ましくない。上記画像形成装置によると、アンテナとタッチセンサとの間に通信回路を配置するので、間に通信回路を配置しない場合に比べてアンテナとタッチセンサとを離すことができる。
【００１５】
また、上記画像形成装置は、操作ボタンを備え、前記筐体の前側から後側に向かって前記アンテナ、前記操作ボタン、前記タッチセンサの順で前記直線上に配置されていてもよい。
【００１６】
アンテナとタッチセンサとを近付けすぎて配置すると干渉し合う虞があるので望ましくない。上記画像形成装置によると、アンテナとタッチセンサとの間に操作ボタンを配置するので、間に操作ボタンを配置しない場合に比べてアンテナとタッチセンサとを離すことができる。
【００１７】
また、前記筐体の前面にはフロントカバーが設けられており、前記フロントカバーは、前記フロントカバーを閉じたときに前記フロントカバーの上端部から前記筐体の後側に向かって伸びる上面部を有し、前記上面部は、前記フロントカバーを閉じたときに前記アンテナを避ける形状に形成されていてもよい。
【００１８】
フロントカバーが上面部を有している場合、上面部がアンテナを避ける形状に形成されていないと、アンテナを上面部より後側に配置しなければならず、アンテナがユーザから遠くなってしまう。上記画像形成装置によると、上面部がアンテナを避ける形状に形成されているので、上面部がアンテナを避ける形状に形成されていない場合に比べてアンテナをより前側に配置することができる。
【００１９】
また、前記筐体は前方に張り出す張出部を有し、前記アンテナは前記張出部に設けられていてもよい。
【００２０】
上記画像形成装置によると、張出部にアンテナを設けるので、アンテナをより前側に配置することができる。
【００２１】
また、上記画像形成装置は、前記アンテナを覆う保護部材を備えてもよい。
【００２２】
上記画像形成装置によると、張出部に設けられたアンテナを保護することができる。
【００２３】
また、前記保護部材は前記アンテナを覆うカバー部材であり、前記アンテナの内側の領域を通過して前記張出部と前記保護カバーとを結合する結合部材を備えてもよい。
【００２４】
上記画像形成装置によると、結合部材はアンテナの内側の領域を通過するので、アンテナの内側の領域を有効に活用することができる。
【００２５】
また、前記通信基板において前記アンテナの内側の領域には、光源からの光を通過させる第１の穴と、前記第１の穴を避ける位置に形成されている第２の穴とが形成されており、前記結合部材は前記第２の穴を通過して前記張出部と前記カバー部材とを結合してもよい。
【００２６】
上記画像形成装置によると、光源からの光と結合部材とをアンテナの内側の領域を通過させるので、アンテナの内側の領域をより有効に活用できる。
【００２７】
また、前記結合部材は非導電性の素材で形成されていてもよい。
【００２８】
結合部材を導電性の素材で形成するとアンテナから放射された電磁波が結合部材の影響を受けて近距離無線通信が阻害されてしまう虞がある。上記画像形成装置によると、結合部材が非導電性の素材で形成されているので、近距離無線通信が阻害されてしまうことを抑制できる。
【００２９】
また、前記張出部と前記カバー部材との間に、前記筐体の前方から前記通信基板に至る沿面距離を長くする壁が設けられていてもよい。
【００３０】
上記画像形成装置によると、通信基板が静電気の影響を受けてしまうことを抑制できる。
【発明の効果】
【００３１】
上記の画像形成装置によると、操作効率の低下が抑制されるように表示装置と近距離無線通信用のアンテナとが配置されている画像形成装置を提供することができる。
【図面の簡単な説明】
【００３２】
【図１】実施形態１に係るプリンタの斜視図。
【図２】プリンタの斜視図（フロントカバーを開いた状態）。
【図３】プリンタの断面を簡略化して示す断面図。
【図４】プリンタの電気的構成を示すブロック図。
【図５】通信基板の模式図。
【図６】筺体を上方から見た模式図。
【図７】張出部周辺を前側から見た断面図。
【図８】張出部周辺を左側から見た断面図。
【図９】実施形態２に係る上面部の斜視図。
【発明を実施するための形態】
【００３３】
＜実施形態１＞
実施形態１を図１ないし図８によって説明する。
（１）プリンタの機能
先ず、図１を参照して、実施形態１に係る画像形成装置としてのプリンタ１について概略的に説明する。プリンタ１は後述する通信インタフェース部３４（図４参照）を介してパーソナルコンピュータなどの外部装置と通信可能に構成されており、外部装置から受信した画像形成ジョブに基づいてシートに画像を形成する。
【００３４】
また、プリンタ１はスマートフォンや認証カードなどの携帯端末と１０ｃｍ程度以内の至近距離で近距離無線通信を行うことが可能に構成されている。近距離無線通信は以下の（ａ）〜（ｃ）などの目的に利用することができる。なお、近距離無線通信をどのような目的に利用するかは適宜に決定することができる。
（ａ）携帯端末から画像形成装置に認証情報を送信する。
（ｂ）携帯端末から画像形成装置に画像形成ジョブを送信する。
（ｃ）携帯端末から画像形成装置を操作する。
【００３５】
本実施形態では上述した近距離無線通信の通信方式としてＮＦＣ（Ｎｅａｒ  Ｆｉｅｌｄ  Ｃｏｍｍｕｎｉｃａｔｉｏｎ）を用いる場合を例に説明する。ＮＦＣはＩＳＯ／ＩＥＣ２１４８１やＩＳＯ／ＩＥＣ１８０９２として勧告された近距離無線通信の国際標準規格である。一般に無線通信の通信方式には電波方式と電磁誘導方式とがあり、ＮＦＣは電磁誘導方式によって無線通信するものである。
【００３６】
次に、プリンタ１の外観について説明する。プリンタ１は樹脂製の筺体１０を有している。筺体１０は上部に開口を有する略箱状に形成されており、開口を開閉する開閉カバー１１が連結されている。開閉カバー１１はユーザがトナーやインクを交換するなどのメンテナンス作業を行うために設けられている。開閉カバー１１も筺体１０を構成するものである。ここで筺体１０の上部とは、筺体１０の上側の壁を構成している部分のことをいう。
【００３７】
筺体１０の上部において開閉カバー１１の左側には操作パネル１２が設けられている。操作パネル１２は液晶ディスプレイなどの表示装置１２Ａ、各種の操作ボタン１２Ｂなどを備えて構成されている。表示装置１２Ａは表示部分に物体の接触を検出するタッチセンサを有している。以降の説明ではタッチセンサを有している表示装置１２Ａのことをタッチスクリーン１２Ａという。
【００３８】
ユーザはタッチスクリーン１２Ａや操作ボタン１２Ｂを操作することによって各種の設定などを行うことができる。また、タッチスクリーン１２Ａにはユーザが近距離無線通信用のアンテナ１３Ａに携帯端末をかざしたときに近距離無線通信の確立が成功したか否かを示す情報などが表示される。
【００３９】
図１に示すように、近距離無線通信用のアンテナ１３Ａを有する通信基板１３は、筺体１０の上部において操作パネル１２より前側に設けられている。ここで前側とは、ユーザがプリンタ１を操作すると想定されている側のことをいう。一般にプリンタはユーザが操作する側が想定されており、表示装置に表示される文字はユーザが操作すると想定されている側からプリンタを見たときに正しく読めるように表示される、あるいは操作ボタンに表記されている文字はユーザが操作すると想定されている側からプリンタを見たときに正しく読めるように表記されている。つまり、一般にプリンタには前側と後側とがあり、どこが前側であるかは表示装置に表示される文字の向きや操作ボタンに表記されている文字の向きなどから一義的に特定することができる。
【００４０】
また、詳しくは後述するが、アンテナ１３Ａは後述する保護カバー５０（図７）によって上側が覆われており、ユーザはアンテナ１３Ａを直接視認することはできない。そのため、プリンタ１はアンテナ１３Ａの内側の円形の領域１７が発光するように構成されており、ユーザはその光によってアンテナ１３Ａの位置を把握することができる。
【００４１】
筺体１０の前面において下側にはシートが収容されるシートトレイ１４が引き出し可能に設けられている。また、筺体１０の前面においてシートトレイ１４の上側にはフロントカバー１５が設けられている。フロントカバー１５は印刷に用いるシートをセットする手差トレイとして用いられるものである。ユーザは、例えば、シートトレイ１４に収容されているシートとは異なる種類のシートに画像を形成させたい場合に、フロントカバー１５を開いてその上に異なる種類のシートをセットすることができる。
【００４２】
図２はフロントカバー１５を開いた場合を示している。図２に示すように、筺体１０には前面の左上から前方に張り出す張出部１６が一体に形成されている。張出部１６の下面には張出部１６を補強するためのリブ１６Ａが一体に形成されている。図２に示すようにアンテナ１３Ａは張出部１６に設けられている。張出部１６を設けた理由については後述する。
【００４３】
フロントカバー１５において、筐体１０の前面を構成する壁の左側の縁部に壁１５Ａが設けられており、同様に右側の縁部に壁１５Ｂが設けられている。これらの壁１５Ａ及び１５Ｂにはフロントカバー１５を筺体１０に連結するためのヒンジ１８が設けられており、フロントカバー１５はヒンジ１８を中心に回動する。
【００４４】
また、フロントカバー１５における筐体１０の前面を構成する壁の上側の縁部には、フロントカバー１５を閉じたときにフロントカバー１５の上端部から筐体１０の後側に向かって伸びる上面部１５Ｃが設けられている。上面部１５Ｃは張出部１６の分だけ左側が欠けた形状に形成されている。このため図１に示すようにフロントカバー１５を閉じるとフロントカバー１５の上面部１５Ｃが張出部１６を避けることとなり、上面部１５Ｃが張出部１６に干渉することなくフロントカバー１５を閉じることができる。
【００４５】
上述した上面部１５Ｃを設けた理由は、前述したようにフロントカバー１５にはヒンジ１８を設けるために壁１５Ａと壁１５Ｂとが設けられているので、上面部１５Ｃを設けないと、フロントカバー１５を閉じたときに上側が解放されたままになってしまうからである。
【００４６】
次に、張出部１６を設けた理由について説明する。張出部１６を設けた理由は、フロントカバー１５が上面部１５Ｃを有していてもアンテナ１３Ａを前側に配置できるようにするためである。フロントカバー１５の上面部１５Ｃにアンテナ１３Ａを設けると、アンテナ１３から伸びる配線はヒンジ１８付近まで下がってから筺体１０側に接続されることになるので、配線が長くなってしまう。このため、アンテナ１３Ａは筺体１０に設けることが望ましい。その場合、仮に張出部１６を設けなかったとすると、アンテナ１３Ａは上面部１５Ｃよりも後側に配置されることになる。アンテナ１３Ａを上面部１５Ｃよりも後側に配置すると、筺体１０の前方からアンテナ１３Ａに携帯端末をかざすユーザにとってはアンテナ１３Ａが遠くなってしまい、携帯端末をかざし難くなってしまう。あるいは、遠くにかざした携帯端末に表示された情報を確認し難くなってしまう。これに対し、張出部１６を設け、且つ、張出部１６を避けるように上面部１５Ｃを形成すると、フロントカバー１５に上面部１５Ｃを設けてもアンテナ１３Ａをより前側に配置できる。
【００４７】
（２）プリンタの内部構造
次に、図３を参照して、プリンタ１の内部構造について概略的に説明する。プリンタ１はシートトレイ１４、画像形成部２０、搬送部３１などを備えて構成されている。
【００４８】
搬送部３１は図示しない複数の搬送ローラやそれらの搬送ローラを回転駆動するモータなどを備えており、シートトレイ１４に収容されているシートやフロントカバー１５にセットされているシートを１枚ずつ搬送経路Ｔに沿って搬送する。画像形成部２０は搬送部３１によって搬送されているシートに電子写真方式やインクジェット方式などで画像を形成する。画像形成部２０によって画像が形成されたシートは排紙口２１から開閉カバー１１上に排紙される。
【００４９】
（３）プリンタの電気的構成
次に、図４を参照して、プリンタ１の電気的構成について説明する。プリンタ１は制御装置３０、搬送部３１、画像形成部２０、操作パネル１２、通信インタフェース部３４、通信基板１３などを備えて構成されている。搬送部３１、画像形成部２０、及び、操作パネル１２の構成は前述した通りであるのでここでは説明を省略する。
【００５０】
制御装置３０はＣＰＵ３０Ａ、ＲＯＭ３０Ｂ、ＲＡＭ３０Ｃ、ＡＳＩＣ３０Ｄなどを備えて構成されている。ＣＰＵ３０ＡはＲＯＭ３０Ｂに記憶されている制御プログラムを実行することによってプリンタ１の各部を制御する。ＲＯＭ３０ＢにはＣＰＵ３０Ａによって実行される制御プログラムや各種のデータなどが記憶されている。ＲＡＭ３０ＣはＣＰＵ３０Ａが各種の処理を実行するための主記憶装置として用いられる。
【００５１】
通信インタフェース部３４は、ＵＳＢ（Ｕｎｉｖｅｒｓａｌ  Ｓｅｒｉａｌ  Ｂｕｓ）、ＬＡＮ（Ｌｏｃａｌ  Ａｒｅａ  Ｎｅｔｗｏｒｋ）、インターネットなどの通信回線を介して外部の装置と通信するためのハードウェアである。
【００５２】
次に、図５を参照して、通信基板１３について説明する。通信基板１３は近距離無線通信を行うためのものであり、近距離無線用のループ状のアンテナ１３Ａ、アンテナ１３Ａに接続されている通信回路１３Ｂ、ＬＥＤ１３Ｃなどが実装されている。通信回路１３Ｂはアンテナ１３Ａを用いて携帯端末と近距離無線通信を行うための回路である。アンテナ１３Ａは通信基板１３がプリンタ１に取り付けられている状態において上を向く面に実装されており、通信回路１３Ｂ及びＬＥＤ１３Ｃは下を向く面に実装されている。ＬＥＤ１３Ｃは光源の一例である。
【００５３】
通信基板１３においてループ状のアンテナ１３Ａの内側の領域には、後述する導光板５５（図７参照）を通すための第１の穴１３Ｄと、第１の穴１３Ｄを避ける位置に形成されている二つの第２の穴１３Ｅであって、後述する結合部材５１（図７参照）を通すための第２の穴１３Ｅとが形成されている。なお、第１の穴１３Ｄと第２の穴１３Ｅとは一つの穴として連結して形成されてもよい。
【００５４】
（４）タッチスクリーンとアンテナとの位置関係
次に、図６を参照して、タッチスクリーン１２Ａとアンテナ１３Ａとの位置関係についてより具体的に説明する。図３は筺体１０を上方から見た場合を示している。直線４０は筺体１０の前後方向に延びる仮想の直線である。図６に示すようにタッチスクリーン１２Ａとアンテナ１３Ａとは一の直線４０上に配置されている。
【００５５】
ここで、筺体１０の上方から見てタッチスクリーン１２Ａとアンテナ１３Ａとが直線４０上に配置されているとは、必ずしもユーザが筺体１０の上方から見てタッチスクリーン１２Ａとアンテナ１３Ａとを視認できる構成に限られない。例えば、筺体１０を上方から見た場合に視認される面にアンテナ１３Ａを投影した領域が直線４０上に配置されていれば、アンテナ１３Ａは上方がカバー部材によって覆われていてユーザからは視認できない構成であってもよい。あるいは、アンテナ１３Ａは筺体１０の上部を構成している壁の裏側に設けられていてもよい。あるいは、アンテナ１３Ａは筺体１０の上部を構成する壁に開口を形成してその開口にはめ込むように設けられていてもよい。
【００５６】
なお、図６ではタッチスクリーン１２Ａの左右方向の中心とアンテナ１３Ａの左右方向の中心とがそれぞれ直線４０上に位置している場合を示しているが、これらの中心は必ずしも直線４０上になくてもよい。つまり、上方から見てタッチスクリーン１２Ａの少なくとも一部が直線４０上に位置しており、且つ、アンテナ１３Ａの少なくとも一部が直線４０上に位置していれば、タッチスクリーン１２Ａの左右方向の中心とアンテナ１３Ａの左右方向の中心とが左右方向にずれていてもよい。ただし、タッチスクリーン１２Ａの左右方向の中心とアンテナ１３Ａの左右方向の中心とがそれぞれ直線４０上に位置するように設けた方が、タッチスクリーン１２Ａとアンテナ１３Ａとを設ける筐体１０の上部の開閉カバー１１を除く端部（本実施形態では、左端部）の左右方向の幅を小さくすることができ、プリンタ１の大型化を抑制できる。
【００５７】
また、図６に示すように通信基板１３はタッチスクリーン１２Ａより前側に配置されている。具体的には、筺体１０の前側から後側に向かってアンテナ１３Ａ、通信回路１３Ｂ、操作ボタン１２Ｂ、タッチセンサ（タッチスクリーン１２Ａ）の順で配置されている。
【００５８】
（５）通信基板の取り付け構造
次に、図７及び図８を参照して、通信基板１３の取り付け構造について説明する。図７に示すように通信基板１３は張出部１６の上に設けられており、上側が樹脂製の保護カバー５０によって覆われている。保護カバー５０はユーザがアンテナ１３Ａに触れてアンテナ１３Ａが破損してしまうことを防止するためのものである。なお、図７では保護カバー５０を取り付ける途中の状態を示している。保護カバー５０は保護部材、及び、カバー部材の一例である。
【００５９】
張出部１６には上方に向かって延びる二つの結合部材５１が固定されている。結合部材５１は張出部１６と保護カバー５０とを結合するためのものである。結合部材５１は非導電性の素材で形成されている。なお、結合部材５１は張出部１６に一体に形成されていてもよいし、別部品として形成されてネジなどで張出部１６に固定されていてもよい。
【００６０】
一つの結合部材５１は互いに離間して上方に延びる二つの柱状の部分と、これら二つの柱状の部分の上端部に互いに逆向きに設けられている爪部とを有している。柱状の部分は弾性を有している。一方、保護カバー５０には結合部材５１の爪部が係合する穴５２が形成されている。二つの結合部材５１はそれぞれ互いに異なる第２の穴１３Ｅを通過して保護カバー５０の穴５２に挿入される。保護カバー５０の穴５２は上側の内径が下側の内径よりも広くなっており、弾性を有している柱状の部分が撓んで爪部が穴１３Ｅの上側の内周部に挿入され、穴１３Ｅの上側の内周面と下側の内周面との段差面に爪部が係合することによって保護カバー５０が張出部１６に取り外し不能に結合される。
【００６１】
なお、結合部材５１は保護カバー５０に固定されていてもよい。そして、張出部１６に形成されている穴にその結合部材５１が係合する構成であってもよい。また、結合部材５０は保護カバー５０を結合部材５１に結合するネジであってもよい。
【００６２】
導光板５５はＬＥＤ１３Ｃからの光を上方に導くための略透明な部材である。保護カバー５０には導光板５５に対応する形状の穴５３が形成されており、導光板５５は穴５３に挿入されて上方に露出している。
【００６３】
図８に示すように、通信基板１３の下面には前述したＬＥＤ１３Ｃが設けられている。導光板５５は端面がＬＥＤ１３Ｃを向く姿勢で通信基板１３に固定されている棒状の部分５５ＡがＬＥＤ１３Ｃの近傍から通信基板１３の下面に沿って第１の穴１３Ｄの下まで延びており、第１の穴１３Ｄの下で上方に９０度曲って円柱状に延びている。
【００６４】
第１の穴１３Ｄの下から上方に向かって延びる導光板５５は第１の穴１３Ｄを通過し、保護カバー５０に設けられている穴５３に挿入されている。これにより、ＬＥＤ１３Ｃが点灯するとユーザからはアンテナ１３Ａの内側の領域１７が発光しているように見える。
【００６５】
なお、保護カバー５０を透明あるいは半透明の素材で形成する場合は穴５３を形成しないようにしてもよい。また、穴５３は下から見て上まで貫通していない有底の形状に形成されていてもよい。
【００６６】
また、図８に示すように、張出部１６と保護カバー５０との間には筺体１０の前方から通信基板１３に至る沿面距離を長くするための壁が設けられている。具体的には、保護カバー５０の前側には下側に向かって延びる壁５７が設けられている。一方、張出部１６の前側には上側に向かって延びる壁５８が設けられている。保護カバー５０に設けられている壁５７の下端部の前側は壁５８の分だけ切り取られたような形状に形成されており、これら二つの壁が噛み合うことによって筺体１０の前方から通信基板１３に至る沿面距離が長くなっている。
【００６７】
なお、上述した壁５７及び５８の形状は図８に示す形状に限られるものではなく、張出部１６と保護カバー５０との間に壁を設けない場合に比べて沿面距離が長くなる形状であれば任意の形状であってよい。
【００６８】
（６）実施形態の効果
例えば、アンテナ１３Ａをタッチスクリーン１２Ａより後側に隣接させて配置したとすると、ユーザがアンテナ１３Ａに携帯端末をかざした際に携帯端末やユーザの手、携帯端末に付けられているストラップ等でタッチスクリーン１２Ａが隠れ易くなり、操作効率が低下する。
【００６９】
また、例えば、アンテナ１３Ａをタッチスクリーン１２Ａの左側に隣接させて配置したとすると、左手で携帯端末を持って右手でタッチスクリーン１２Ａやタッチスクリーン１２Ａの近傍に設けられている操作ボタン１２Ｂを操作するのに慣れたユーザにとっては操作効率が良いが、右手で携帯端末を持つ、あるいは、左手でタッチセンサや操作ボタン１２Ｂを操作するのに慣れたユーザにとっては手が交差するような操作となってしまい、タッチスクリーン１２Ａが隠れ易くなってしまう。かといって、タッチスクリーン１２Ａを隠すまいとして慣れない手で携帯端末を持ったりタッチセンサや操作ボタン１２Ｂ部を操作したりすると、操作効率が低下する。アンテナ１３Ａをタッチスクリーン１２Ａの右側に隣接させて配置する場合も、アンテナ１３Ａをタッチスクリーン１２Ａの左側に隣接させて配置する場合と同様に操作効率が低下する。
【００７０】
これに対し、実施形態１に係るプリンタ１によると、アンテナ１３Ａをタッチスクリーン１２Ａより前側に配置するので、アンテナ１３Ａをタッチスクリーン１２Ａの後側、左側、あるいは右側に隣接させて配置した場合に生じる操作効率の低下を抑制することができる。
【００７１】
また、プリンタ１によると、アンテナ１３Ａとタッチスクリーン１２Ａとを筺体１０の前後方向に延びる直線４０上に配置するので、アンテナ１３Ａとタッチスクリーン１２Ａとの左右方向の距離が近くなる。このためユーザは視線を左右方向に大きく移動させなくてよいので、視線を左右方向に大きく移動させなければならないことによる操作効率の低下も抑制できる。
【００７２】
よってプリンタ１によると、操作効率の低下が抑制されるようにタッチスクリーン１２Ａと近距離無線通信用のアンテナ１３Ａとが配置されている画像形成装置を提供することができる。
【００７３】
更に、プリンタ１によると、表示装置１２Ａは、物体の接触を検出するタッチセンサを有する。タッチセンサをアンテナ１３Ａより前側に配置すると、ユーザが携帯端末をアンテナ１３Ａにかざす際に誤ってタッチセンサに触れてしまい、それにより意図しない操作をしてしまう虞がある。プリンタ１によると、タッチセンサをアンテナ１３Ａより後側に配置するので、ユーザが携帯端末をアンテナ１３Ａにかざす際に誤ってタッチセンサに触れてしまうことを抑制できる。
【００７４】
更に、プリンタ１によると、筺体１０の前側から後側に向かってアンテナ１３Ａ、通信回路１３Ｂ、タッチセンサの順で直線上に配置されている。アンテナ１３Ａとタッチセンサとを近付け過ぎて配置すると干渉し合う虞があるので望ましくない。プリンタ１によると、アンテナ１３Ａ、通信回路１３Ｂ、タッチセンサの順で配置するので、通信回路１３Ｂ、アンテナ１３Ａ、タッチセンサの順で配置する場合に比べ、スペースを無駄にすることなくアンテナ１３Ａとタッチセンサとを離すことができ、且つ、アンテナ１３Ａがより前方に配置されるので、操作効率が向上する。
【００７５】
更に、プリンタ１によると、筺体１０の前側から後側に向かってアンテナ１３Ａ、操作ボタン１２Ｂ、タッチセンサの順で直線上に配置されている。アンテナ１３Ａとタッチセンサとを近付けすぎて配置すると干渉し合う虞があるので望ましくない。プリンタ１によると、アンテナ１３Ａ、操作ボタン１２Ｂ、タッチセンサの順で配置するので、操作ボタン１２Ｂ、アンテナ１３Ａ、タッチセンサの順で配置する場合に比べ、スペースを無駄にすることなくアンテナ１３Ａとタッチセンサとを離すことができ、且つ、アンテナ１３Ａがより前方に配置されるので、操作効率が向上する。
【００７６】
更に、プリンタ１によると、フロントカバー１５は上面部１５Ｃを有し、上面部１５Ｃは、フロントカバー１５を閉じたときにアンテナ１３Ａを避ける形状に形成されているので、上面部１５Ｃがアンテナ１３Ａを避ける形状に形成されていない場合に比べてアンテナ１３Ａをより前側に配置することができる。
【００７７】
更に、プリンタ１によると、張出部１６にアンテナ１３Ａを設けるので、フロントカバー１５が上面部１５Ｃを有していてもアンテナ１３Ａを前側に配置することができる。
【００７８】
更に、プリンタ１によると、アンテナ１３Ａを覆う保護カバー５０を備えているので、張出部１６に設けられたアンテナ１３Ａを保護することができる。
【００７９】
更に、プリンタ１によると、張出部１６と保護カバー５０とを結合する結合部材５１がループ状のアンテナ１３Ａの内側の領域を通過するので、アンテナ１３Ａの内側の領域を有効に活用することができる。
【００８０】
更に、プリンタ１によると、ＬＥＤ１３Ｃからの光と結合部材５１とをループ状のアンテナ１３Ａの内側の領域を通過させるので、アンテナ１３Ａの内側の領域をより有効に活用できる。
【００８１】
更に、プリンタ１によると、結合部材５１は非導電性の素材で形成されている。結合部材５１を導電性の素材で形成するとアンテナ１３Ａから放射された電磁波が結合部材５１の影響を受けて近距離無線通信が阻害されてしまう虞がある。結合部材５１を非導電性の素材で形成すると、近距離無線通信が阻害されてしまうことを抑制できる。
【００８２】
更に、プリンタ１によると、張出部１６と保護カバー５０との間に筺体１０の前方から通信基板１３に至る沿面距離を長くする壁５７及び壁５８が設けられている。アンテナ１３Ａに携帯端末をかざすユーザの手が触れると静電気が発生し、その静電気によって通信基板１３が破損してしまう虞がある。壁５７及び壁５８を設けて沿面距離を長くすると、そのような静電気によって通信基板１３が破損してしまうことを抑制できる。
【００８３】
＜実施形態２＞
次に、本発明の実施形態２を図９によって説明する。
前述した実施形態１に係る上面部１５Ｃは張出部１６の分だけ左側が欠けた形状に形成されている。これに対し、図９に示すように、上面部１５Ｃの左右方向の幅を筺体１０の左右方向の幅とほぼ同じにし、フロントカバー１５を閉じたときに後側となる側に、張出部１６が嵌る凹部６０を形成してもよい。上面部１５Ｃをこのような形状にすると、フロントカバー１５の左側の縁に設けられている壁１５Ａと右側の縁に設けられている壁１５Ｂとが上面部１５Ｃによって接続されるので、フロントカバー１５の強度を向上させることができる。
【００８４】
＜他の実施形態＞
上記記述及び図面によって説明した実施形態に限定されるものではなく、例えば次のような実施形態も技術的範囲に含まれる。
【００８５】
（１）上記実施形態では筺体１０の上面に段差がない場合を例に説明した。これに対し、筺体１０の上面には段差が設けられていてもよい。その場合、アンテナ１３Ａとタッチスクリーン１２Ａとは筺体１０の上部を構成している壁の同一の面を構成している部分に設けられていてもよいし、異なる面を構成している部分に設けられていてもよい。つまり、アンテナ１３Ａとタッチスクリーン１２Ａとはそれぞれ筺体１０の上部に配置されていればよく、アンテナ１３Ａが配置されている面とタッチスクリーン１２Ａが配置されている面との間には段差があってもよい。
【００８６】
（２）上記実施形態では筺体１０がフロントカバー１５を備えている場合を例に説明した。これに対し、筺体１０はフロントカバー１５を備えていなくてもよい。その場合は張出部１６を設けないようにしてもよい。
【００８７】
また、筺体１０がフロントカバー１５を備えている場合でも張出部１６は設けないようにしてもよい。その場合はアンテナ１３Ａをフロントカバー１５の上面部１５Ｃより後側に配置してもよい。
【００８８】
（３）上記実施形態ではアンテナ１３Ａとタッチスクリーン１２Ａとが筺体１０の左側に配置されている場合を例に説明した。これに対し、アンテナ１３Ａとタッチスクリーン１２Ａとは筺体１０の右側に配置されてもよいし、スペースに余裕があれば開閉カバー１１の前側に配置されてもよい。
【００８９】
（４）上記実施形態では表示装置１２Ａがタッチセンサを備えている場合を例に説明した。これに対し、表示装置１２Ａはタッチセンサを備えていなくてもよい。
【００９０】
（５）上記実施形態ではアンテナ１３Ａと通信回路１３Ｂとが同じ基板に実装されている場合を例に説明した。これに対し、アンテナ１３Ａと通信回路１３Ｂとは別々の基板に実装されてもよい。
【００９１】
（６）上記実施形態では保護部材として保護カバー５０を例に説明した。これに対し、保護部材は樹脂モールドであってもよい。
【００９２】
（７）上記実施形態では上面部１５Ｃが他の部材に覆われていない場合を例に説明した。これに対し、アンテナ１３Ａの上方も含んで上面部１５Ｃをスモーク材などの透明あるいは半透明の部材で覆うようにしてもよい。
【００９３】
（８）上記実施形態では上面部１５Ｃの裏側が板金に覆われていない場合を例に説明した。これに対し、上面部１５Ｃの裏側には補強のために板金が取り付けられてもよい。
【００９４】
（９）上記実施形態では画像形成装置としてプリンタ１を例に説明した。これに対し、画像形成装置はプリント機能、スキャナ機能、コピー機能、ファクシミリ（ＦＡＸ）機能などを備える所謂複合機であってもよいし、単機能のイメージスキャナであってもよいし、単機能のファクシミリ装置であってもよい。
【００９５】
（１０）上記実施形態ではＣＰＵ３０Ａによって各処理が実行される場合を例に説明した。これに対し、これらの処理の一部はＡＳＩＣ３０Ｄによって実行されてもよい。また、制御装置３０はＡＳＩＣ３０Ｄを備えていなくてもよい。また、制御装置３０は複数のＣＰＵを備え、上述した処理を複数のＣＰＵによって分担して実行してもよい。
【符号の説明】
【００９６】
１・・・プリンタ、１０・・・筺体、１１・・・開閉カバー、１２・・・操作パネル、１２Ａ・・・表示装置、１２Ｂ・・・操作ボタン、１３・・・通信基板、１３Ａ・・・アンテナ、１３Ｂ・・・通信回路、１３Ｃ・・・ＬＥＤ、１３Ｄ・・・第１の穴、１３Ｅ・・・第２の穴、１５・・・フロントカバー、１５Ｃ・・・上面部、１６・・・張出部、４０・・・直線、５０・・・保護カバー、５１・・・結合部材、５７・・・壁、５８・・・壁、６０・・・凹部
【図１】
2015173413.tif 000003
【図２】
2015173413.tif 000004
【図３】
2015173413.tif 000005
【図４】
2015173413.tif 000006
【図５】
2015173413.tif 000007
【図６】
2015173413.tif 000008
【図７】
2015173413.tif 000009
【図８】
2015173413.tif 000010
【図９】
2015173413.tif 000011